(57)【要約】【課題】迷惑電話に対しシステムが携帯電話端末に着信があったことを知らせることがないワン切り対策に有効なシステムを提供する。【解決手段】通信システムを、発呼端末１を収容する交換局２と、無線回線を介し着呼端末３に接続する基地局４とがネットワーク５とを備えて構成する。基地局４は基地局全体を制御する中央制御部４１を有し、中央制御部４１は、発呼端末１からの着信を検出する着呼検出部４１１と、着呼検出部４１１によって着信を検出したとき発信側に対しＲＢＴを送出した後に着信を通知するための着呼信号を着呼端末３に送出し着信音を鳴動させる着呼信号送出制御部４１２とを備える。【選択図】      図１
2004173056.tif 000002
【特許請求の範囲】
【請求項１】
発呼端末を収容する交換局と、無線回線を介し着呼端末に接続する基地局とがネットワークを通して接続される通信システムであって、前記基地局は、着信を通知するための着呼信号を前記着呼端末へ送出する前に前記発呼端末への呼出音の送出指示を前記交換局に対し行う制御手段を備えることを特徴とする通信システム。
【請求項２】
発呼端末を収容する交換局と、無線回線を介し着呼端末に接続する基地局とがネットワークを通して接続される通信システムであって、前記基地局は、発呼端末からの着信を検出する着呼検出部と、前記着呼検出部によって着信を検出したとき発信側に対し呼出音を送出した後に着信を通知するための着呼信号を前記着呼端末に送出し着信音を鳴動させる着呼信号送出制御部とを備えることを特徴とする通信システム。
【請求項３】
前記基地局およびこの基地局が固定系の交換局の場合のいずれか一方に、着呼信号を前記着呼端末に対し送出するまで所定のタイミングを取る計時手段を備えることを特徴とする請求項１または請求項２記載の通信システム。
【請求項４】
発呼端末を収容する交換局と、無線回線を介し着呼端末に接続する基地局とがネットワークを通して接続し通信を行う通信方法であって、前記発呼端末によってダイヤルされた前記着呼端末に係わる電話番号情報を前記基地局が受信し着呼検出を行うステップと、この着呼検出により前記着呼端末への着信を通知するための着呼信号の送出前に前記基地局から前記発呼端末に対し呼出音を送出するステップとを有することを特徴とする通信方法。
【請求項５】
着呼信号を前記着呼端末に対し送出するまで所定のタイミングを取るステップを有することを特徴とする請求項４記載の通信方法。
【請求項６】
前記基地局が固定系の交換局の場合、この交換局から着呼信号の送出前に前記発呼端末に対し呼出音を送出するステップを有することを特徴とする請求項４記載の通信方法。
【請求項７】
前記着呼端末からの指示により、前記基地局および前記固定系の交換局のいずれかで、迷惑電話防止のための処理を有効／無効を決定するステップを有することを特徴とする請求項４または請求項６記載の通信方法。
【発明の詳細な説明】
【０００１】
【発明の属する技術分野】
本発明は、移動体通信における通信システムおよび通信方法に関し、特に迷惑電話のうちワン切り対策に有効な通信システムおよび通信方法に関する。
【０００２】
【従来の技術】
従来、移動体通信システムでは、通常は図５に示すように、発呼者が着呼端末にダイヤルすると、システムは着呼端末に対して着呼信号を送出する。着呼端末から着呼信号の受信応答が返信されてくると、発呼者に対して呼出音（ＲＢＴ：リングバックトーン）を送出する。すなわち、従来のシステムでは、着信音が鳴る携帯電話端末に対して、システムから着呼の通知を行い、それに対して着信音を鳴らす。そのとき着信音を鳴らす携帯電話端末からシステムに対して着信音を鳴らす旨の情報が送られ、システムではそれを受けとった後、着信者を呼び出し中であることを示すＲＢＴを発呼者に対し送出している。このシーケンスでは着呼者が着呼信号を受信した段階で相手の電話番号受信と着呼鳴動を行ってしまい迷惑電話となってしまう。
【０００３】
現在、携帯電話端末において着信音を一回鳴らして電話を切り、着信履歴に電話番号を記憶させ、相手から電話をかけさせるという迷惑電話，所謂ワン切りが増えてきている。着信音を一回鳴らしてから切るという動作を行うためには、発呼者がダイヤルした後に一定時間経ってから回線を切る第１の方法と、ＲＢＴを受信して回線を切る第２の方法とがある。ワン切り等の迷惑電話を防ぐために着呼の継続時間を表示する携帯電話端末が出現してきている。
【０００４】
上述した着信履歴の記憶については、電話端末の着信履歴エリアに着信電話データの格納を拒否する発信者電話番号をあらかじめ拒否特定番号として登録し、着信時に通知された発信者電話番号とこの拒否特定番号とを比較し、不一致のときのみ着信電話データの格納を行う技術が開示されている（例えば、特許文献１参照）。また、短い時間の呼び出しに関連し、着信を検出してからの経過時間に基づく制御を行う技術が開示されている（例えば、特許文献２参照）。
【０００５】
【特許文献１】
特開２００１−２１７９１９公報（図１）
【特許文献２】
特開２００１−１６０８４６公報（段落番号００１０）
【０００６】
【発明が解決しようとする課題】
着呼の継続時間を表示する携帯電話端末では、着呼の時間と発呼者の電話番号が表示されているため、この電話番号に着信者は間違って電話をしてしまうこともある。そこで、上述した方法のうち第２の方法に対処するために、ワン切り等の短い着呼は着信側の携帯電話端末に知らせず、つまり携帯電話端末に着信履歴が残ることが無く間違って電話してしまう心配が無い、また、着呼者も迷惑電話があったことも知らずに済むシステムの構築が望まれている。
【０００７】
本発明の目的は、迷惑電話に対し、電話をかけた発呼者に先にＲＢＴを流すことにより発呼側に電話を切らせ、着呼側にはシステムが携帯電話端末に着信があったことを知らせることがないワン切り対策に有効な通信システムおよび通信方法を提供することにある。
【０００８】
【課題を解決するための手段】
本発明の通信システムは、発呼端末を収容する交換局と、無線回線を介し着呼端末に接続する基地局とがネットワークを通して接続される通信システムであって、前記基地局は、着信を通知するための着呼信号を前記着呼端末へ送出する前に前記発呼端末への呼出音の送出指示を前記交換局に対し行う制御手段を備える構成であり、また本発明の通信システムは、前記基地局は、発呼端末からの着信を検出する着呼検出部と、前記着呼検出部によって着信を検出したとき発信側に対し呼出音を送出した後に着信を通知するための着呼信号を前記着呼端末に送出し着信音を鳴動させる着呼信号送出制御部とを備える構成としてもよい。さらに、前記基地局およびこの基地局が固定系の交換局の場合のいずれか一方に、着呼信号を前記着呼端末に対し送出するまで所定のタイミングを取る計時手段を備える構成としてもよい。
【０００９】
本発明の通信方法は、発呼端末を収容する交換局と、無線回線を介し着呼端末に接続する基地局とがネットワークを通して接続し通信を行う通信方法であって、前記発呼端末によってダイヤルされた前記着呼端末に係わる電話番号情報を前記基地局が受信し着呼検出を行うステップと、この着呼検出により前記着呼端末への着信を通知するための着呼信号の送出前に前記基地局から前記発呼端末に対し呼出音を送出するステップとを有し、着呼信号を前記着呼端末に対し送出するまで所定のタイミングを取るステップを有する構成としてもよい。さらに、前記基地局が固定系の交換局の場合、この交換局から着呼信号の送出前に前記発呼端末に対し呼出音を送出するステップを有する構成としてもよい。また、前記着呼端末からの指示により、前記基地局および前記固定系の交換局のいずれかで、迷惑電話防止のための処理を有効／無効を決定するステップを有する構成としてもよい。
【００１０】
【発明の実施の形態】
次に、本発明の実施の形態について図面を参照して説明する。図１（ａ）は本発明の通信システムの実施の形態を説明するためのシステム構成図であり、図１（ｂ）は（ａ）における基地局での本発明の係わる部分を示すブロック図である。図１（ａ）および（ｂ）を参照すると、本発明の通信システムは、発呼端末１を収容する交換局２と、無線回線を介し着呼端末３に接続する基地局４とがネットワーク５を通して接続されている。基地局４は基地局全体を制御する中央制御部４１を有し、中央制御部４１は、発呼端末１からの着信を検出する着呼検出部４１１と、着呼検出部４１１によって着信を検出したとき発信側に対しＲＢＴを送出した後に着信を通知するための着呼信号を着呼端末３に送出し着信音を鳴動させる着呼信号送出制御部４１２とを備える。
【００１１】
次に、本発明の実施の形態の動作について図面を参照して説明する。図２にワン切り対策を含む動作シーケンスを示す。図２を参照すると、着呼者が着呼信号を受信するまでに、発呼者に対してＲＢＴを送出するため発呼者はＲＢＴを受信して回線を切断する。回線が切断された状況はシステム（公衆回線）から携帯電話端末の基地局に送られ、この場合着呼者に着呼信号が送出されるまでに着呼信号が停止しされるため、着呼者の携帯電話端末には履歴が残ることが無く、ワン切りがあったことが残らない。このように図２では、着呼信号送出以前に発呼者に対しＲＢＴが送出されることを示している。
【００１２】
なお、ワン切り対策モードは、基地局にて固定的に設定するが、加入者側からの申告等によりこの設定の有効／無効を選択できるように構成してもよい。
【００１３】
以下に、基地局における他の構成例およびその動作を説明する。図３は本発明の通信システムにおける基地局に係わる他の構成例を示すブロック図であり、図４はその動作を説明するためのシーケンス図である。図３を参照すると、基地局４ａは、発呼端末からの着信を検出する着呼検出部４１１および着呼検出部４１１によって着信を検出したとき発信側に対しＲＢＴを送出した後に着呼信号を着呼端末に送出し着信音を鳴動させる着呼信号送出制御部４１２ａを有する中央制御部４１ａと、着呼信号を着呼端末に対し送出するまで所定のタイミングを取るタイマ４２とを備える。
【００１４】
図２では、発呼者からのダイヤル信号を受信し、システムにより基地局から携帯電話端末に対して着呼信号送出するまでの時間は規定していない。図４では図２の変形例として、基地局から着呼信号を送出するまでの時間（タイミング）を設けている。図２ではシステムから基地局に着呼信号が送られてくると、基地局は直ぐに携帯電話端末に対して着呼信号を送出するが、図４では携帯電話端末に着呼信号を送るまでの時間を調整するためにタイマを設け、数秒後に送出する。これにより、発呼者に対して確実にＲＢＴを送ることができ、発呼者の回線切断情報をシステムが認識して基地局に対して回線切断命令を送ることができる。
【００１５】
なお、着呼信号送出までのタイマは基地局だけでなく、着信側が固定系の交換局の場合この交換局にタイマを設け、同様な制御を行わせることも可能である。この場合は着信側の一般電話回線の電話機に対して有効となる。
【００１６】
【発明の効果】
以上説明したように本発明によれば、ＲＢＴを利用して行われる迷惑電話に対し、着信を通知する着呼信号を送る前に発呼者に対してＲＢＴを送出することにより、発呼者はＲＢＴを受信し回線を切断するので、着呼者に対して着呼信号が送出されず、結果的に着信側の携帯電話端末に着信履歴が残らない。したがって、着呼者は発呼者に対して電話をかけ直すことが無くなり迷惑電話の被害を無くすことができる。
【図面の簡単な説明】
【図１】（ａ）は本発明の通信システムの実施の形態を説明するためのシステム構成図である。（ｂ）は（ａ）における基地局での本発明の係わる部分を示すブロック図である。
【図２】本発明の実施の形態の動作を説明するためのシーケンス図である。
【図３】本発明の通信システムにおける基地局に係わる他の構成例を示すブロック図である。
【図４】図３の構成における動作を説明するためのシーケンス図である。
【図５】従来の移動体通信システムの動作を示すシーケンス図である。
【符号の説明】
１    発呼端末
２    交換局
３    着呼端末
４    基地局
５    ネットワーク
４１，４１ａ    中央制御部
４２    タイマ
４１１    着呼検出部
４１２，４１２ａ    着呼信号送出制御部
【図１】
2004173056.tif 000003
【図２】
2004173056.tif 000004
【図３】
2004173056.tif 000005
【図４】
2004173056.tif 000006
【図５】
2004173056.tif 000007